(57)【特許請求の範囲】
【請求項１】
複数の建枠を所定間隔おきにおよび複数段に設置して構成される枠組足場に、当該枠組足場の組み立ておよび解体に先行して上方および下方に移動する先行式手摺り枠として設置される枠組足場の移動式手摺枠において、前記建枠の建地に添わせて垂直に設置され、当該建地に固定された複数のガイドレールと、隣接する前記ガイドレール間にその上下方向に移動自在に設置された手摺枠本体とから構成され、かつ前記手摺枠本体に前記ガイドレールに設けられた係合部と係合および離脱するストッパーが設けられてなることを特徴とする枠組足場の移動式手摺枠。
【請求項２】
手摺枠本体は、隣接するガイドレール間に水平に架け渡された下枠を有し、当該下枠内にその長手方向にスライドすることにより前記ガイドレールに設けられた係合部としてのストッパー挿入孔と係合および離脱するストッパーが設けられていることを特徴とする請求項１記載の枠組足場の移動式手摺枠。
【請求項３】
手摺枠本体の両端部にガイドレールとその長手方向にスライド自在に係合するガイド部材が設けられていることを特徴とする請求項１または２記載の枠組足場の移動式手摺枠。
【請求項４】
ガイドレールは複数に分割して形成され、かつそれぞれが接続および切り離しできるように形成されていることを特徴とする請求項１、２または３記載の枠組足場の移動式手摺枠。
【発明の詳細な説明】
【０００１】
【発明の属する技術分野】
この発明は枠組足場の移動式手摺枠に関し、特に枠組足場の組み立ておよび解体に先行して枠組足場の上方および下方に移動できるようにした先行式手摺枠として開発されたものである。
【０００２】
【従来の技術】
従来、建物の新築、解体若しくはリフォーム等の工事に際しては、例えば図９（ｉ）に図示するような枠組足場が高所作業用として広く使用されている。この種の枠組足場は軸組となる複数の建枠２０と作業床となる複数の布枠２１、さらに補強部材となるブレース２２等から作業足場の主要部が構成されている。
【０００３】
建枠２０は２本の建地２０ａ，２０ａとこの建地２０ａ，２０ａの上端部間に設置された横地２０ｂとからほぼ門形（鳥居形）状に形成されたユニット材で、工事中の建物Ａの外周に所定間隔おきに建て付けられ、かつ上下を差し込む等して複数段に組み上げられている。また、布枠２１は各段の建枠２０の横地２０ｂ，２０ｂ間に架け渡されている。
【０００４】
ところで、枠組足場の組み立てに際しては、建枠２０と布枠２１を一段一段上に順に組み上げ、解体に際しては一段一段上から下へ順に建枠２０と布枠２１を解体して撤去するが、例えば図９（ii）に図示するように、いずれの作業も最上段の高所で作業員の手によってなされるため、作業中の転落事故などから作業員の安全を図る必要があり、そのため枠組足場に手摺り枠を設置する等の安全措置がとられている。
【０００５】
【発明が解決しようとする課題】
しかし、この場合の手摺り枠は枠組足場の最下段から最上段まで、各段および各スパンごとに取り付けられているため、手摺り枠の取り付けと取り外しが非常に煩わしいだけでなく、手摺り枠だけでも膨大な量になるために手摺り枠を含む足場材の管理が煩雑になり、さらに手摺り枠の取り付けおよび取り外しの作業中に手摺り枠を落下させしまう等の課題があった。
【０００６】
また、手摺り枠を上下に移動して盛り代え使用できるように、手摺り枠を枠組足場の上下方向に移動できるようにしたタイプの手摺りも開発されているが、この場合の手摺り枠は枠組足場の建地に直接取り付けられ、建地が手摺り枠を上下移動させる際のガイドレールを兼ねているため、建枠の組み立てに狂いがある等の理由により建地が変形していたりすると、手摺り枠をスムーズに上下移動できない等の課題があった。
【０００７】
また、ガイドレールは建枠の建地と一体に形成されているため、ガイドレールの付いていない既存の建枠からなる枠組足場には全く使用できない等の課題もあった。
【０００８】
この発明は以上の課題を解決するためになされたもので、枠組足場の組み立ておよび解体に先行して手摺枠を自由に上下移動できるようにした枠組足場の移動式手摺り枠を提供することを目的とする。
【０００９】
【課題を解決するための手段】
請求項１記載の枠組足場の移動式手摺枠は、複数の建枠を所定間隔おきにおよび複数段に設置して構成される枠組足場に、当該枠組足場の組み立ておよび解体に先行して上方および下方に移動する先行式手摺り枠として設置される枠組足場の移動式手摺枠において、前記建枠の建地に添わせて垂直に設置され、当該建地に固定された複数のガイドレールと、隣接する前記ガイドレール間にその上下方向に移動自在に設置された手摺枠本体とから構成され、かつ前記手摺枠本体に前記ガイドレールに設けられた係合部と係合および離脱するストッパーが設けられてなることを特徴とするものである。
【００１０】
請求項２記載の枠組足場の移動式手摺枠は、請求項１記載の枠組足場の移動式手摺枠において、手摺枠本体は、隣接するガイドレール間に水平に架け渡された下枠を有し、当該下枠内にその長手方向にスライドすることにより前記ガイドレールに設けられた係合部としてのストッパー挿入孔と係合および離脱するストッパーが設けられていることを特徴とするものである。
【００１１】
請求項３記載の枠組足場の移動式手摺枠は、請求項１または２記載の枠組足場の移動式手摺枠において、手摺枠本体の両端部にガイドレールとその長手方向にスライド自在に係合するガイド部材が設けられていることを特徴とするものである。
【００１２】
請求項４記載の枠組足場の移動式手摺枠は、請求項１、２または３記載の枠組足場の移動式手摺枠において、ガイドレールは複数に分割して形成され、かつそれぞれが互いに接続および切り離しできるように形成されていることを特徴とするものである。
【００１３】
【発明の実施の形態】
図１〜図８は、この発明に係る枠組足場の移動式手摺枠の一例を示し、図において、複数の建枠１が枠組足場の軸組として建物Ａの外周に複数スパンおよび複数段に組み上げられている。
【００１４】
また、各建枠１の後踏み側（道路側）の建地１ａにガイドレール２が建地１ａに沿って垂直にそれぞれ建て付けられ、また各ガイドレーレ２，２間に手摺枠本体３がそれぞれ取り付けられている。なおここで、建物Ａ側の前踏み側に対してその反対側を後踏み側（道路側）という。
【００１５】
ガイドレーレ２は中空の矩形断面形に形成され、かつその両側（枠組足場のスパン方向の両側）にガイド片２ａ，２ａとストッパー挿入孔２ｃがそれぞれ形成され、またガイドレール２のほぼ中間部と下端部に建枠１の幅方向（横地１ｂの長手方向）に貫通する取付孔２ｂと２ｄがそれぞれ形成されている。なお、この場合の取付孔２ｄは後述する固定金具（クランプ）５を取り付けるための孔であり、取付孔２ｂは後述する固定金具４を取り付けるための孔である。
【００１６】
ガイド片２ａ，２ａはガイドレール２の上下方向に連続して形成され、ストッパー挿入孔２ｃはガイドレール２のほぼ中間部に形成されている。また、ガイドレール２の上端部にほぞ（継手）２ｅが突設されている。
【００１７】
このように形成されたガイドレール２は複数、各建枠１の建地１ａの外側に枠組足場の最下段より最上段まで連ねて立設され、かつ下側ガイドレール２のほぞ２ｅが上側ガイドレール２の下端部の中空部に挿入されていることで、上下のガイドレール２どうしが互いに接続され、係る構成により複数のガイドレール２から枠組足場の最下段から最上段まで連続する一本のガイドレールが形成されている。
【００１８】
また、各ガイドレール２の中間部は固定金具４によって建地１ａの上端部に固定され、下端部は固定金具５によって建地１ａの中間部に固定されている。
【００１９】
固定金具４はリング状をなし、建地１ａの上端部（横地１ｂとの連結部より上の部分）が貫通している固定部４ａと、この固定部４ａの一端からガイドレール２側に水平に突出し、ガイドレール２の取付孔２ｂを貫通している雄ねじ部４ｂとから形成され、雄ねじ部４ｂの先端部に固定ナット６が締め付けられていることで各ガイドレール２の中間部が建地１ａの上端部に固定されている。なお、この場合の固定金具４は、リング状の固定部４ａが横地１ｂに係止されていることで、落下することなく建地１ａの上端部に固定されている。
【００２０】
また、固定金具５はクランプであって、建地１ａの下端部に取り付けられ、この固定金具５にガイドレール２の取付孔２ｄを貫通した固定ボルト７が締め付けられていることで、各ガイドレール２の下端部が建地１ａの中間部に固定されている。
【００２１】
手摺枠本体３は、隣接するガイドレール２，２間に水平に架け渡された下枠３ａと、この下枠３ａの両端部にガイドレール２に近接してそれぞれ立設された手摺柱３ｂ，３ｂと、この手摺柱３ｂ，３ｂの上端部間に架け渡された手摺杆３ｃ等からに矩形枠状に形成されている。
【００２２】
下枠３ａ、手摺柱３ｂおよび手摺杆３ｃはいずれも中空断面形に形成され、特に下枠３ａの両端部と手摺柱３ｂの上端部には、ガイドレール２側に水平に突出するガイド部材８がそれぞれ突設され、各ガイド部材８にはガイドレール２のガイド片２ａ，２ａと係合するガイド溝８ａがそれぞれ形成されている。
【００２３】
また、下枠３ａの中間部より両側には、中間部から両端のガイド部材８にかけて連続する棒状のストッパー９が下枠３の長手方向にスライド自在にそれぞれ挿通されている。
【００２４】
ストッパー９は下枠３ａ内にあってガイドレール２側にスライドすると同時に、先端部９ａがガイド溝８ａ内に突出してガイドレール２のストッパー挿入孔２ｃに挿入するようになっており、また反対側にスライドすることで先端部９ａはストッパー挿入孔２ｃから外れるようになっている。
【００２５】
また、ストッパー９の基端部は、下枠３ａの中間部に形成されたガイド孔３ｄから下枠３ａの外側にほぼ直角に突出し、ストッパー９をスライドさせるための操作ハンドル９ｂになっている。
【００２６】
なおこの場合、ガイド孔３ｄが下枠３ａの長手方向に所定の長さ（長孔）に形成され、このガイド孔３ｄによって操作ハンドル９ｂの移動が規制され、これによりストッパー９は、ガイド孔３ｄの長さの範囲内で下枠３ａの長手方向に自由にスライドするようになっている。
【００２７】
以上の構成により、手摺枠本体３は各ガイドレール２，２間に複数のガイド部材８によって支持され、かつガイド部材８を介してガイドレール２、２の上下方向に自由にスライドして移動できるようになっている。
【００２８】
また、ストッパー９の操作ハンドル９ｂをガイド部材８側にスライドさせることにより、ストッパー９の先端部９ａがガイド溝８ａ内に突出してガイドレール２のストッパー挿入孔２ｃに挿入されることで、手摺枠本体３はガイドレール２，２間に固定されるようになっている。
【００２９】
次に、枠組足場の組み立てに際してのガイドレール２および手摺枠本体３の取り扱い方法を説明する。
【００３０】
▲１▼  組み立て中の枠組足場の最上段において、その床面上に建て付けられた建枠１の後踏み側（道路側）の各建地１ａの外側にガイドレール２をそれぞれ建て付ける。この場合、ガイドレール２は中間部より上部分を建地１ａの上方に延長させて垂直に建て付ける。
そして下端部に、既に取り付けられている下側ガイドレール２の上端部に突設されているほぞ２ｅを挿入することにより下側のガイドレール２と接続する。また、中間部を建地１ａの上端部に固定金具４によって固定し、下端部を建地１ａの中間部に固定金具５によって固定する。
【００３１】
▲２▼  次に、最上段の作業足場または最下段の作業足場より手摺枠本体３のストッパー９を解除した状態で、手摺枠本体３をガイドレール１に取り付け、次に手摺枠本体３の上のガイドレール１をセットする。
【００３２】
▲３▼  次に、最上段の建枠１の上方に延長させて建て付けられたガイドレール２，２間まで手摺枠本体３をスライドさせて移動する。そして、このガイドレール２，２間に手摺枠本体３を改めて固定する。この場合、ストッパー９をガイドレール２側にスライドさせて先端部９ａをストッパー挿入孔２ｂに挿入することで、手摺枠本体３はガイドレール２，２間に固定される。
【００３３】
▲４▼  そして、手摺枠本体３を移動した上の段の建枠１を組み上げる。
【００３４】
以下同様にして、ガイドレール２の延長と手摺枠本体３の移動を建枠１の組み上げに先行して行うことにより、ガイドレール２，２と手摺枠本体３とからなる手摺りによって、常に作業員の安全が確保された状態で枠組足場の組み立てを行うことができる。
【００３５】
次に、枠組足場の解体に際してのガイドレール２および手摺枠本体３の取り扱い方法を説明する。
【００３６】
▲１▼  解体中の枠組足場の最上段において、その床面上に建て付けられた建枠１の上方に延長して建て付けられているガイドレール２，２間の手摺枠本体３の固定を解除する。
【００３７】
▲２▼  次に、ガイドレール２，２間をスライドさせて手摺枠本体３を最上段の床面まで移動させる。そして、その位置に手摺枠本体３を再び固定する。
【００３８】
▲３▼  次に、最上段の床面上に建て付けられた建枠１の上方に延長して建て付けられているガイドレール２を撤去する。この場合、固定金具５を取り外してガイドレール２の下端部を建地１ａから切り離した後、ガイドレール２を上に軽く持ち上げることで、固定金具４の固定部４ａが建地１ａの上端部から抜けるため、ガイドレール２は簡単に取り外すことができる。
【００３９】
▲４▼  次に、ガイドレール２，２と手摺枠本体３とからなる手摺りを安全柵として最上段の建枠１を撤去する。
【００４０】
以下同様にして、手摺枠本体３の移動とガイドレール２の撤去を建枠１の撤去に先行して行うことにより、ガイドレール２，２と手摺枠本体３とからなる手摺りにより、常に作業員の安全が確保された状態で枠組足場の解体撤去を行うことができる。
【００４１】
【発明の効果】
この発明は以上説明したとおりであり、特に手摺枠本体が建枠の建地に沿って垂直に設置されたガイドレール間をその上下方向に自由に移動し、かつ手摺枠本体にはガイドレールに設けられた係合部と係合および離脱するストッパーが設けられているため、枠組足場の組み立ておよび解体に際し、手摺枠本体の移動を建枠の組み立ておよび撤去に先行して行うことで、枠組足場の組み立ておよび解体作業中、ガイドレールと手摺枠本体とからなる手摺りによって常に作業員の安全が確保されるため、枠組足場の組み立ておよび解体撤去をきわめて安全に行うことができる。
【００４２】
また、手摺枠本体の両端部にガイドレールとその長手方向にスライド自在に係合するガイド部材が設けられているので、手摺枠本体の上下移動をきわめてスムーズに行うことができ、またガイドレールは複数に分割して形成され、かつそれぞれが接続および切り離しできるように形成されているので、ガイドレールを継ぎ足して長さを延長することで高い枠組足場にも自由に対応でき、さらに手摺枠本体を自由に上下移動できることにより、一段分の手摺枠本体を設置するだけでよいので、枠組足場材の数量が大幅に減って管理がし易くなり、しかもきわめて経済的である。また、枠組足場の組立および解体中に手摺枠を誤って落下させてしまう等の事故を未然に防止できる。
【００４３】
また、手摺枠本体は、建枠の建地とは別に建地に取り付けられたガイドレール間に取り付けられているので、ガイドレールの取り付けが可能であれば既存の枠組足場の手摺り枠としても利用できるため、利用範囲がきわめて広く実用性が大いに期待できる。
【図面の簡単な説明】
【図１】枠組足場および移動式手摺枠の一部斜視図である。
【図２】ガイドレールを示し、（ｉ）はその側面図、（ii）はその正面図、（iii）はその横断面図である。
【図３】移動式手摺枠を示し、（ｉ）はその正面図、（ii）はその側面図である。
【図４】（ｉ）は図３（ii）におけるイ部拡大図、（ii）は（ｉ）におけるロ−ロ線断面図である。
【図５】（ｉ）は手摺枠本体が固定された状態の図３（ｉ）におけるハ部拡大図、（ii）は（ｉ）における縦断面図である。
【図６】（ｉ）は手摺枠本体の固定が解除された状態の図３（ｉ）におけるハ部拡大図、（ii）は（ｉ）における縦断面図である。
【図７】（ｉ）は手摺枠本体が固定された状態の図３（ｉ）におけるニ部拡大横断面図、（ii）は手摺枠本体の固定が解除された状態の図３（ｉ）におけるニ部拡大縦断面図である。
【図８】（ｉ）は図３（ｉ）におけるホ部拡大横断面図、（ii）はその拡大側面図である。
【図９】枠組足場の一例を示し、（ｉ）は一部斜視図、（ii）はその正面図である。
【符号の説明】
１  建枠
１ａ  建地
１ｂ  横地
２  ガイドレール
２ａ  ガイド片
２ｂ  ストッパー挿入孔
２ｃ  取付孔
２ｄ  取付孔
２ｅ  ほぞ（継手）
３  手摺枠本体
３ａ  下枠
３ｂ  手摺柱
３ｃ  手摺杆
３ｄ  ガイド孔
４  固定金具
４ａ  固定部
４ｂ  雄ねじ部
５  固定金具
６  固定ナット
７  取付ボルト
８  ガイド部材
８ａ  ガイド溝
９  ストッパー
９ａ  ストッパーの先端部
９ｂ  操作ハンドル
【図１】
0003929279.tif 000002
【図２】
0003929279.tif 000003
【図３】
0003929279.tif 000004
【図４】
0003929279.tif 000005
【図５】
0003929279.tif 000006
【図６】
0003929279.tif 000007
【図７】
0003929279.tif 000008
【図８】
0003929279.tif 000009
【図９】
0003929279.tif 000010